(57)【要約】【課題】光ディスク装置において、ディスクトレイの装置本体側に対するロック解除を確保できる技術の提供。【解決手段】イジェクトロック機構を、ディスクトレイを排出する際、イジェクト操作による励磁電流がソレノイドプランジャーに流れたとき、駆動ばねの弾性復元力により駆動アームを回動変位させ、先ず上記ソレノイドプランジャーの可動部を固定部から離間させ、該離間後にロックアームを回動変位させ装置本体側との係合を解除する構成とする。【選択図】  図４
2004303289.tif 000002
【特許請求の範囲】
【請求項１】
光ディスクをディスクトレイにより装置本体内に搬入または装置本体外に搬出する光ディスク装置であって、
上記ディスクトレイを装置本体内の挿入位置にロックするイジェクトロック機構として、
上記ディスクトレイ上に設けられ、支点周りに回動するアーム部に、装置本体側と係合する第１の係合部を備えたロックアームと、
支点周りに回動するアーム部に、上記ロックアームと係合する第２の係合部を備えた駆動アームと、
可動部が上記駆動アームに係合され、励磁電流により該可動部の固定部への電磁吸着力が弱められるソレノイドプランジャーと、
上記駆動アームに接続され、弾性復元力により該駆動アームを、上記ソレノイドプランジャーの上記可動部が上記固定部から離間する方向であって上記第２の係合部が上記ロックアームと係合する方向に回動変位させる駆動ばねと、
を備え、上記励磁電流が流れたとき、上記駆動ばねの弾性復元力により上記駆動アームを回動変位させ、該ソレノイドプランジャーの上記可動部を上記固定部から離間させた後、上記ロックアームの上記第１の係合部を回動変位させて上記装置本体側との係合を解除し、上記ディスクトレイを排出可能にする構成としたことを特徴とする光ディスク装置。
【請求項２】
上記駆動アームは、上記ソレノイドプランジャーの上記可動部を上記固定部から離間させた状態で、上記第２の係合部が上記ロックアームと当接する構成である請求項１に記載の光ディスク装置。
【請求項３】
上記駆動アームは、上記ソレノイドプランジャーの上記可動部を上記固定部から離間させた状態で、上記第２の係合部が上記ロックアームを回動変位させる構成である請求項１に記載の光ディスク装置。
【請求項４】
上記駆動アームは、上記ソレノイドプランジャーの上記可動部が上記固定部に対し接触状態にあるとき上記第２の係合部において、上記ロックアームとの間に空隙を有する構成である請求項１に記載の光ディスク装置。
【請求項５】
上記駆動アームは、上記駆動ばねの復元力による第１の変位では、上記ソレノイドプランジャーの上記可動部を上記固定部から離間させ、該第１の変位に続く第２の変位では、上記第２の係合部が上記ロックアームを回動変位させる構成である請求項１に記載の光ディスク装置。
【請求項６】
上記駆動ばねは、その復元力による第１の変位では、上記駆動アームを介し、上記ソレノイドプランジャーの上記可動部を上記固定部から離間させ、該第１の変位に続く第２の変位では、上記駆動アームの上記第２の係合部を介して上記ロックアームを回動変位させる構成である請求項１に記載の光ディスク装置。
【請求項７】
光ディスクをディスクトレイにより装置本体内に搬入または装置本体外に搬出する光ディスク装置であって、
上記ディスクトレイを装置本体内の挿入位置にロックするイジェクトロック機構として、
上記ディスクトレイ上にあって、装置本体側と係合するロックアームと、
上記ロックアームと係合する係合部を備えた駆動アームと、
可動部が上記駆動アームに係合され、励磁電流により該可動部の固定部への電磁吸着力が弱められるソレノイドプランジャーと、
を備え、上記ソレノイドプランジャーに上記励磁電流が流れていないとき、上記駆動アームの上記係合部と上記ロックアームとの間に空隙を有し、該駆動アームが該ロックアームに対し非係合とされる構成としたことを特徴とする光ディスク装置。
【発明の詳細な説明】
【０００１】
【発明の属する技術分野】
本発明は、光ディスク装置におけるイジェクトロック機構に関する。
【０００２】
【従来の技術】
ディスク装置におけるイジェクトロック機構の従来技術としては、例えば特開２００１−３４４８６３号公報（特許文献１）に記載されたものがある。該公報には、イジェクトロック機構として、解除バネの付勢力によりイジェクトレバーを回動させ、ソレノイドの可動芯を開放状態にしてソレノイド内部から引き抜くと同時に、ロックレバーの装置本体側への係合を解除する構成が記載されている。
【０００３】
【特許文献１】
特開２００１−３４４８６３号公報（段落番号００４３、図１０〜図１２）
【０００４】
【発明が解決しようとする課題】
上記従来技術では、ディスクトレイの排出時に、解除バネの付勢力により、ソレノイドの可動芯を固定部から開放移動させるとともに装置本体側へのロックレバーの係合を解除する構成のため、例えば上記可動芯が比較的強い電磁的吸着力でソレノイドの磁気回路の固定部側に吸着されていて、イジェクトレバーの回動に上記解除バネの付勢力を超える力が必要とされる場合には、イジェクトレバーの回動がされず、その結果、上記可動芯の開放動作及び上記ロックレバーの係合解除動作がなされず、ディスクトレイの排出が不可能となるおそれもある。
本発明の課題点は、上記従来技術の状況に鑑み、光ディスク装置において、ソレノイド（プランジャーソレノイド）に比較的強い電磁吸着力が残っている場合にも、可動芯（可動部）を確実に固定部から離間させ、かつ、イジェクトレバー（ロックアーム）を確実に回動させて、ディスクトレイの装置本体側に対する係合の解除を確保できるようにすることである。
本発明の目的は、かかる課題点を解決できる技術の提供にある。
【０００５】
【課題を解決するための手段】
上記課題点を解決するために、本発明では、基本的に、光ディスク装置のイジェクトロック機構を、ディスクトレイを排出する際、イジェクト操作による励磁電流がソレノイドプランジャーに流れたとき、駆動ばねの弾性復元力により駆動アームを回動変位させ、先ず上記ソレノイドプランジャーの可動部を固定部から離間させ、該離間後にロックアームを回動変位させ装置本体側との係合を解除する構成とする。
【０００６】
具体的には、
（１）光ディスク装置におけるディスクトレイのイジェクトロック機構として、ディスクトレイ上に設けられ、支点周りに回動するアーム部に装置本体側と係合する第１の係合部を備えたロックアームと、支点周りに回動するアーム部に上記ロックアームと係合する第２の係合部を備えた駆動アームと、可動部が上記駆動アームに係合され、励磁電流により該可動部の固定部への電磁吸着力が弱められるソレノイドプランジャーと、上記駆動アームに接続され、弾性復元力により該駆動アームを、上記ソレノイドプランジャーの上記可動部が上記固定部から離間する方向であって上記第２の係合部が上記ロックアームと係合する方向に回動変位させる駆動ばねとを備え、上記励磁電流が上記ソレノイドプランジャーに流れたとき、上記駆動ばねの弾性復元力により上記駆動アームを回動変位させ、該ソレノイドプランジャーの上記可動部を上記固定部から離間させた後、上記ロックアームの上記第１の係合部を回動変位させて上記装置本体側との係合を解除し、上記ディスクトレイを排出可能な構成とする。
【０００７】
（２）上記駆動アームとしては、上記ソレノイドプランジャーの可動部を固定部から離間させた状態で、上記第２の係合部が上記ロックアームと当接する構成や、上記ソレノイドプランジャーの可動部を固定部から離間させた状態で、上記第２の係合部が上記ロックアームを回動変位させる構成や、上記ソレノイドプランジャーの可動部が固定部に対し接触状態にあるとき上記第２の係合部において、上記ロックアームとの間に空隙を有する構成や、上記駆動ばねの復元力による第１の変位では、上記ソレノイドプランジャーの可動部を固定部から離間させ、該第１の変位に続く第２の変位では、上記第２の係合部が上記ロックアームを回動変位させる構成などがある。
【０００８】
（３）上記駆動ばねとしては、その復元力による第１の変位では、上記駆動アームを介し、上記ソレノイドプランジャーの可動部を固定部から離間させ、該第１の変位に続く第２の変位では、ロックアームを回動変位させる構成とする。
（４）さらに、イジェクトロック機構として、ディスクトレイ上にあって装置本体側と係合するロックアームと、該ロックアームと係合する係合部を備えた駆動アームと、可動部が該駆動アームに係合され励磁電流により該可動部の固定部への電磁吸着力が弱められるソレノイドプランジャーとを備え、該ソレノイドプランジャーに上記励磁電流が流れていないときは、上記駆動アームの上記係合部と上記ロックアームとの間に空隙を有し、該駆動アームが該ロックアームに対し非係合とされる構成とする。
【０００９】
【発明の実施の形態】
以下、本発明の実施例につき、図面を用いて説明する。
図１〜図７は、本発明の光ディスク装置の実施例の説明図である。図１は、本発明の一実施例としての光ディスク装置の外観図、図２は、図１の装置の分解斜視図、図３は、図１の装置におけるイジェクトレバーとその周辺構成を示す図、図４は、図１の装置のイジェクトロック機構においてディスクトレイがロックされたときの状態を示す図、図５は、図１の装置のイジェクトロック機構においてソレノイドプランジャーの可動片が離間したときの状態を示す図、図６は、図１の装置のイジェクトロック機構においてディスクトレイがロック解除された状態を示す図、図７はソレノイドプランジャーの特性例を示す図である。
【００１０】
図１において、１は装置筐体であるトップケース、２は同じくボトムケース、３は、光ディスクを装置本体内に搬入したり、装置本体内から外部に搬出したりするディスクトレイ、４は、光ディスクを回転駆動するディスクモータ、５は、光ディスクの記録面にレーザー光を照射して信号の記録または読取りを行う光ピックアップ、６は、光ピックアップ５を光ディスクの半径方向に移動させる光ピックアップ送り機構、７は、ディスクトレイ３の装置本体内への挿入と装置本体外への排出を案内するレール、８は、装置本体側にあってレール７を案内するレールガイド、９はフロントベゼル、１０は、ディスクトレイの排出（イジェクト）操作用のイジェクトボタンである。ディスクトレイ３を、装置本体内の挿入位置にロックするイジェクトロック機構（図示なし）も、ディスクトレイ３の裏面側であってイジェクトボタン１０に近い位置に配されている。光ピックアップ５、光ピックアップ送り機構６、ディスクモータ４、レール７、フロントベゼル９、イジェクトボタン１０及びイジェクトロック機構はそれぞれ、ディスクトレイ３側に設けられる。
【００１１】
上記構成において、例えば、記録または再生のために光ディスクを装置本体内に搬入する場合、イジェクトボタン１０が押されるとイジェクトロック機構が作動してディスクトレイ３の装置本体側に対するロック状態を解除し、該ディスクトレイ３が装置本体側から排出（イジェクト）される。排出された該ディスクトレイ３の所定位置に光ディスクをセットし、再び装置本体内に挿入する。該ディスクトレイ３の該挿入動作により光ディスクが装置本体内に搬入される。搬入された光ディスクは、ディスクモータ４により回転可能な所定位置にセットされる。一方、ディスクトレイ３は、装置本体内の光ディスクから離間した所定位置において、再びイジェクトロック機構により装置本体側にロックされる。
【００１２】
図２は、図１の光ディスク装置の分解斜視図であって、図１の構成の裏面側の構成を示す。
図２において、３はディスクトレイ、６は光ピックアップ送り機構、２１はアンダーカバー、３５は、支点周りに回動するアーム部に、装置本体側と係合する係合部を備えたロックアーム、３２は、支点周りに回動するアーム部に、上記ロックアーム３５と係合する係合部を備えた駆動アーム、５０は、可動片が上記駆動アーム３２に係合されたソレノイドプランジャー、３１は、駆動アーム３２に接続され、弾性復元力により該駆動アーム３２を、上記ソレノイドプランジャー５０の上記可動片が該ソレノイドプランジャー５０の固定部から離間する方向であってかつ該駆動アーム３２を上記ロックアーム３５と係合する方向に回動変位させるための駆動ばね、３３は、ディスクトレイ３が装置本体側に対しロックされた元の状態に戻るように付勢するためのリセットばね、３４は、該リセットばね３３の復元力で付勢され、ディスクトレイ３が装置本体側にロックされた元の状態に戻るように駆動アーム３２を押すリセットアーム、３６ａ、３６ｂ、３６ｃはそれぞれフック、３９はフレキシブル基板、４０ａはロックアーム３５の回動支点部を形成するボス、４０ｂは駆動アーム３２の回動支点部を形成するボス、４０ｃはリセットアームの回動支点部を形成するボス、４１は、ロックアーム３５に対し装置本体側（レールガイドのボス部）に係合するための付勢力を与えるロックばね、４２はソレノイドプランジャー５０を取付けるためのねじ、４３はダンパーゴムである。上記駆動ばね３１、駆動アーム３２、ソレノイドプランジャー５０及びロックアーム３５は、イジェクトロック機構部の主要部を構成する。
【００１３】
上記図２の構成において、図１のイジェクトボタン１０が押されたとき、上記フレキシブル基板を介して上記ソレノイドプランジャー５０のコイルに電圧が印加され、可動片の電磁吸着力が弱められる。図７に、ソレノイドプランジャー５０のコイル印加電圧に対する可動片保持力（吸着力）の特性例を示す。本ソレノイドプランジャー５０は、コイルに電圧が印加されない（＝コイルに電流が流れない）状態では、可動片がマグネットにより、駆動ばね３１の復元力よりも大きい約４Ｎの力でヨークの固定部側に吸着されている。コイルに電圧が印加され、電流が供給されると該マグネットとは極性が反対の電流磁界が形成され、可動片の吸着力が弱められ、駆動ばね３１の復元力よりも十分小さい値となる。かかる状態で駆動ばね３１は、その復元力により駆動アーム３２を回動変位させる。駆動アーム３２は、該回動変位によりソレノイドプランジャー５０の可動片を固定部から離間させる。該離間により、ソレノイドプランジャー５０内において該可動片の、固定部との間の電磁吸引力は急激に減少する。該離間状態で、駆動アーム３２はロックアーム３５に当接し、該ロックアーム３５を回動変位させる。該回動変位により該ロックアーム３５は、ディスクトレイ３の装置本体側に対するロック状態を解除し、該ディスクトレイ３が装置本体側から排出（イジェクト）されるようにする。
【００１４】
図３は、図１の装置におけるイジェクトレバーとその周辺構成を示す図である。
図３において、３はディスクトレイ、８はレールガイド、１１はディスクトレイ３をイジェクト変位させるためのイジェクトレバー、１２は、その復元力によりイジェクトレバー１１を介してディスクトレイ３をイジェクト方向に押すイジェクトばね、１３は回路基板、３５はロックアーム、６０は、レールガイド８側に設けられ、ロックアーム３５のフック状の係合部をロックするためのボス部である。かかる構成において、ロックアーム３５が回動変位してそのフック状の係合部が上記ボス部６０からはずれ、ディスクトレイ３の装置本体側に対するロック状態を解除したとき、イジェクトばね１２は、イジェクトレバー１１を介してディスクトレイ３をイジェクト方向に押す。ディスクトレイ３はそのレール７（図１）がレールガイド８に案内された状態で移動し、イジェクト（排出）される。
【００１５】
図４は、図１の装置のイジェクトロック機構において、ディスクトレイが装置本体側にロックされている状態を示す図である。
図４において、３はディスクトレイ、８はレールガイド、３１は駆動ばね、３２は駆動アーム、３３はリセットばね、３４はリセットアーム、３５はロックアーム、５０はソレノイドプランジャー、３７はソレノイドプランジャー５０の可動片、４１はロックばね、ｃは、駆動アーム３２とロックアーム３５との間の空隙、ｄは、ソレノイドプランジャー５０内において可動片３７と固定部との吸着部である。ソレノイドプランジャー５０内では、コイルに電流が流されない状態で、可動片３７がマグネット（図示なし）の吸引力により固定部側に吸着されている。該可動片３７には駆動アーム３２の一部が係合され、該駆動アーム３２には駆動ばね３１が接続されている。駆動アーム３２の係合部（第２の係合部）はロックアーム３５に対し空隙ｃを隔てて非接触状態にある。かかる状態では駆動ばね３１の復元力は、ソレノイドプランジャー５０内における可動片３７の固定部への吸着力よりも小さいために、駆動アーム３２は駆動ばね３１による回動変位をせず、ロックアーム３５との間に上記空隙ｃを保っている。また、該状態でロックアーム３５は、先端部のフック状の係合部（第１の係合部）が、装置本体側に設けられたレールガイド８のボス部６０（図３）に係合され、ディスクトレイ３を装置本体側にロックしている。
【００１６】
図５は、上記図４のソレノイドプランジャー５０のコイルに電圧が印加され、可動片３７が、駆動ばね３１の復元力により駆動アーム３２を介して引張られ、固定部から離間したときの状態を示す。図１のイジェクトボタン１０が押され、ソレノイドプランジャー５０のコイルに電圧が印加され、電流が供給されると、可動片３７の固定部への吸着力が弱められ、駆動ばね３１の復元力よりも十分小さい値となる。この結果、駆動ばね３の復元力により駆動アーム３２が回動変位し、ソレノイドプランジャー５０の可動片３７を固定部から離間させる。該離間により、該可動片３７の、固定部との間の電磁吸着力は急激に減少する。電磁吸着力が減少し該可動片３７が固定部から離間した状態で、駆動アーム３２はその係合部（第２の係合部）でロックアーム３５に対し当接を開始し、さらに回動変位することで、該当接したロックアーム３５を回動変位させる。つまり、駆動アーム３２は、可動片３７を離間させた後に、ロックアーム３５に第２の係合部で当接し、さらに回動変位して該ロックアーム３５を回動変位させる。該ロックアーム３５の回動変位により、該ロックアーム３５の先端部のフック状の係合部（第１の係合部）は移動変位して、レールガイド８のボス部６０（図３）との係合が浅くなる。
【００１７】
図６は、図５の状態からさらに、駆動ばね３１の復元力で駆動アーム３２が回動変位し、ロックアーム３５が回動変位した結果、ディスクトレイ３のロックを解除したときの状態を示す図である。
上記図５の状態からさらに駆動アーム３２が回動変位すると、ソレノイドプランジャー５０の可動片３７は、固定部からはますます遠い位置に離間し、固定部との間の吸引力は一層小さくなる。該状態で、該駆動アーム３２は、ロックアーム３５をさらに回動変位させる。該ロックアーム３５の回動変位により、該ロックアーム３５の先端部のフック状の係合部（第１の係合部）は移動変位して、レールガイド８のボス部６０（図３）との係合がはずれ、図６の状態となる。ロックアーム３５の係合部が、ボス部６０（図３）からはずれると、ディスクトレイ３の装置本体側に対するロック状態が解除され、イジェクトばね１２（図３）は、イジェクトレバー１１（図３）を介してディスクトレイ３をイジェクト（排出）する方向に押す。この結果、ディスクトレイ３はそのレール７（図１）がレールガイド８に案内されて移動し、イジェクト（排出）される。
【００１８】
上記本発明の実施例によれば、光ディスク装置において、ディスクトレイ３のイジェクト動作を行う際、（ａ）ソレノイドプランジャー５０の可動片３７を固定部から離間させる時は、駆動アーム３２にロックアーム３５が当接していないため、該ロックアーム３５は該駆動アーム３２及び駆動ばね３１の負荷になっていない。このため、該駆動アーム３２及び駆動ばね３１は、ソレノイドプランジャー５０の可動片３７のみを負荷として、該可動片３７を固定部から離間させればよいため、可動片３７の固定部への吸着力が、生産時の部品特性のばらつきや使用環境の状態変化等に起因して増大した場合にも、確実に該可動片３７を固定部から離間させ、駆動アーム３２を回動変位させることができる。（ｂ）また、駆動アーム３２を介したロックアーム３５の回動変位も、ソレノイドプランジャー５０の上記可動片３７が固定部から離間した後に行う構成のため、可動片３７の固定部への吸着力が、駆動ばね３１の復元力に比べ十分に小さくなった状態で、該駆動アーム３２を介し該ロックアーム３５の回動変位を行うことになる。このため、上記可動片３７の離間後は、駆動ばね３１の復元力の大部分を、駆動アーム３２を介したロックアーム３５の回動変位のために使うことができ、該ロックアーム３５の回動変位を確実に行うことができる。従って、上記（ａ）、（ｂ）に基づき、本実施例によれば確実なイジェクト動作が可能となる。
【００１９】
なお、上記実施例では、ソレノイドプランジャー５０の可動片３７が固定部に吸着している状態では、駆動アーム３２とロックアーム３５との間に空隙を設け、該吸着状態では駆動アーム３２がロックアーム３５に当接しない構成としたが、本発明はこれに限定されず、可動片３７が固定部から離間した後に、駆動ばね３１の復元力が駆動アーム３２を介しロックアーム３５に伝達される構成であればよい。
【００２０】
【発明の効果】
本発明によれば、光ディスク装置において、ディスクトレイのロック解除を確実に行うことができる。
【図面の簡単な説明】
【図１】本発明の一実施例としての光ディスク装置の構成例を示す図である。
【図２】図１の装置の分解斜視図である。
【図３】図１の装置におけるイジェクトレバーとその周辺構成を示す図である。
【図４】図１の装置においてディスクトレイがロックされた状態を示す図である。
【図５】図１の装置のソレノイドプランジャーの可動片が離間した状態を示す図である。
【図６】図１の装置においてディスクトレイがロック解除された状態を示す図である。
【図７】ソレノイドプランジャーの特性例を示す図である。
【符号の説明】
１…トップケース、  ２…ボトムケース、  ３…ディスクトレイ、  ４…ディスクモータ、  ５…光ピックアップ、  ６…光ピックアップ送り機構、  ７…レール、  ８…レールガイド、  ９…フロントベゼル、  １０…イジェクトボタン、  １１…イジェクトレバー、  １２…イジェクトばね、  １３…回路基板、  ２１…アンダーカバー、  ３５…ロックアーム、  ３２…駆動アーム、  ３１…駆動ばね、  ３３…リセットばね、  ３４…リセットアーム、  ３６ａ、３６ｂ、３６ｃ…フック、  ３７…可動片、  ３９…フレキシブル基板、  ４０ａ、４０ｂ、４０ｃ…ボス、  ４１…ロックばね、  ４２…ねじ、  ４３…ダンパーゴム、  ５０…ソレノイドプランジャー、  ６０…ボス部。
【図１】
2004303289.tif 000003
【図２】
2004303289.tif 000004
【図３】
2004303289.tif 000005
【図４】
2004303289.tif 000006
【図５】
2004303289.tif 000007
【図６】
2004303289.tif 000008
【図７】
2004303289.tif 000009